(57)【要約】【課題】無線ヘッドセットを取り外すことなく音声を制御する。【解決手段】本発明は、無線ヘッドセットのパッドの傾きを検出し（２２）、この検出されたパッドの傾きに応じて、音声の制御（２３）を行なうものである。【選択図】　　図４
2004128745.tif 000002
【特許請求の範囲】
【請求項１】
利用者に装着可能な出力装置において、
無線通信により受信したデータを出力する出力手段と、
前記データを受信中に利用者から前記出力手段が取り外されたことを検出する手段と、
前記検出手段により、利用者から取り外されたことを検出した場合、前記出力手段から出力されるデータの出力制御を行なう制御手段と
を具備することを特徴とする出力装置。
【請求項２】
前記検出手段は、前記出力手段が利用者に装着された状態から前記出力手段が所定の傾き以上になったことを検出し、
前記所定の傾き以上になった場合、前記制御手段は、前記出力手段から出力されるデータを停止すること
を特徴とする請求項１記載の出力装置。
【請求項３】
前記データはオーディオデータであり、
前記制御手段は、前記検出手段により前記出力装置が利用者から取り外されたことを検出した場合、前記出力手段から出力される前記オーディオデータの出力パワーを減少させることを特徴とする請求項１記載の出力装置。
【請求項４】
前記制御手段は、前記検出手段により前記出力装置が利用者から取り外されたことを検出した場合、前記出力手段から出力される前記オーディオデータの出力を停止することを特徴とする請求項３記載の出力装置。
【請求項５】
音声入力手段をさらに具備し、
前記制御手段は、前記オーディオデータの出力パワーが減少されている状態で、前記音声入力手段に一定音量以上の音声が入力されたことが検出された場合に、前記オーディオデータの出力パワーを元に戻す手段を具備することを特徴とする請求項４記載の出力装置。
【請求項６】
前記制御手段は、
前記オーディオデータの出力パワーが減少されている状態で、前記出力手段が所定の傾き未満であることを検出する手段と、
所定の傾き未満であることが検出された場合に、前記オーディオデータの出力パワーの減少を解除する手段と
をさらに具備することを特徴とする請求項４記載の出力装置。
【請求項７】
前記オーディオデータの出力パワーが減少されている状態で、前記出力手段が所定の傾き以上であることを検出する手段と、
前記所定の傾き以上の状態が所定時間経過したことを検出する手段と、
所定時間経過したことが検出された場合に、前記出力装置の電源を遮断する手段と
をさらに具備することを特徴とする請求項４記載の出力装置。
【請求項８】
無線通信により受信したデータを出力する出力手段を有する出力装置における制御方法において、
データを受信中に利用者から前記出力手段が取り外されたことを検出し、
利用者から取り外されたことを検出した場合、前記出力手段から出力されるデータの出力制御を行なう制御方法。
【請求項９】
前記取り外しの検出は、前記出力手段の傾きに基づいて検出ざれることを特徴とする請求項８記載の制御方法。
【請求項１０】
前記データはオーディオデータであり、
前記取り外しが検出された場合に、前記出力手段から出力される前記オーディオデータの出力パワーを減少させることを特徴とする請求項９記載の制御方法。
【請求項１１】
音声入力手段をさらに具備し、
前記オーディオデータの出力パワーが減少されている状態で、前記音声入力手段に一定音量以上の音声が入力されたことが検出された場合に、前記オーディオデータの出力パワーを元に戻すことを特徴とする請求項１０記載の制御方法。
【請求項１２】
前記オーディオデータの出力パワーが減少されている状態で、前記出力手段が所定の傾き以上であることを検出し、
前記所定の傾き以上の状態が所定時間経過したことを検出し、
所定時間経過したことが検出された場合に、前記出力装置の電源を遮断するステップ
をさらに具備することを特徴とする請求項１０記載の制御方法。
【発明の詳細な説明】
【０００１】
【発明の属する技術分野】
本発明は、出力装置に関し、特に、本体プレイヤーから送信される音楽を鑑賞するための無線ヘッドセットに関する。
【０００２】
【従来の技術】
近年、本体プレイヤーと音声ケーブルによって接続された有線ヘッドセット（ヘッドフォン）が音声ケーブルが邪魔になる等の理由により、本体プレイヤーとヘッドセットとを無線により通信接続する無線ヘッドセットが開発されている。
【０００３】
このような無線ヘッドセットとして、例えば、ヘッドセットを装着した時のハウジングへの圧力や心臓の心拍音などで音声の制御を行なう技術が開示されている（特許文献１参照。）。
【０００４】
【特許文献１】
特開２００２−５７７６５号公報（第４頁、第２３段落乃至第２７段落）
【０００５】
【発明が解決しようとする課題】
しかしながら、従来の無線ヘッドセットにおいては、本体プレイヤーから送信された音楽などを無線ヘッドセットを使用して聞いている場合において、他人から話し掛けられた場合、無線ヘッドセットを外すことにより対応している。したがって、このような場合に、無線ヘッドセットの装着を繰り返すことがユーザにとって煩わしいという問題があった。
【０００６】
なお、上記特許文献１において開示された技術においては、ハウジングへの圧力や心臓の心拍音などで音声の制御を行なう技術については開示されているが、他人から話し掛けられた場合には、無線ヘッドセットを取り付けたままでは話が聞き取りにくいため、無線ヘッドセットを取り外さなければならないことには変わりはない。
【０００７】
本発明は、上記実情に鑑みてなされたものであり、無線ヘッドセットを取り外すことなく音声を制御することができる出力装置を提供することを目的とする。
【０００８】
【課題を解決するための手段】
上記目的を達成するために、本発明は、利用者に装着可能な出力装置において、無線通信により受信したデータを出力する出力手段と、前記データを受信中に利用者から取り外されたことを検出する手段と、前記検出手段により、利用者から取り外されたことを検出した場合、前記出力手段から出力されるデータの出力制御を行なう制御手段とを具備することを特徴とする出力装置、である。
【０００９】
【発明の実施の形態】
以下、図面を参照して、本発明の実施の形態に係る無線ヘッドセットについて説明する。
【００１０】
図１は、本発明の実施の形態に係るヘッドセットの外観を示す図である。
【００１１】
同図に示すように、本発明の一実施の形態に係るヘッドセット１は、筐体に取り付けられたパッド１６及びユーザからの音声を集音するマイク１１を具備している。
【００１２】
図２は、図１に示したヘッドセット１を装着した場合を示す図である。
【００１３】
同図において、ユーザは、プレイヤー本体４１から無線により送信され、ヘッドセットにおいて受信され、復号された音声データを出力するスピーカを内蔵するパッド１６を介して音楽などを聞くことができ、また、マイク１１によって、ユーザの音声を取得して、この取得した音声の音声信号を符号化した後、図示せぬアンテナによって、無線により、プレイヤー本体４１に音声信号を送信することができる。
【００１４】
ヘッドセット１のパッド１６は、図示せぬパッド傾斜機構によって、図３に示すように傾斜させることが可能である。このようにパッド１６を傾斜させることにより、ユーザは、他者から話し掛けられた場合に、ヘッドセットを取り外すことなく、他者からの話をよく聞くことができるようになる。また、本実施の形態のヘッドセットにおいては、パッドの傾斜の仕方などによって、プレイヤー本体から送信される音声信号の制御が行なわれる。
【００１５】
なお、図３に示した例においては、パッド１６を横方向に傾斜させる場合について示したが、これに限られるものではない。例えば、パッド１６を前方向或いは後ろ方向に傾斜させてもよい。
【００１６】
図４は、本発明の実施の形態に係るヘッドセット１の機能を示すブロック図である。なお、図１と同一部分には、同一符号を付している。
【００１７】
同図において、マイク１１は、ユーザからの音声を取得するものであり、音声増幅部１２は、マイク１１によって取得されたアナログ音声信号を増幅するものである。変調部１３は、音声増幅部１２によって増幅されたアナログ音声信号をデジタル音声信号に変調するものである。
【００１８】
送信フィルタ１４は、変調部１３によって変調されたデジタル音声信号をフィルタリングして音声帯域のデジタル音声信号を出力する。
【００１９】
アンテナ１５は、送信フィルタ１４からのフィルタリングされたデジタル音声信号を無線によりプレイヤー本体４に送信するとともに、プレイヤー本体４から送信されたデジタル音声信号を受信する。
【００２０】
受信フィルタ２１は、アンテナ１５を介して受信されたデジタル音声信号をフィルタリングして音声帯域のデジタル音声信号を出力する。
【００２１】
復調部２０は、受信フィルタ２１においてフィルタリングされたデジタル音声信号をアナログ信号に変換する。
【００２２】
切り替え部１９は、制御部２３からの指示に基づいて、音声のミュートの切り替えを行なう。
【００２３】
音声増幅部１８は、復調部２０によって復調され、切替部１９を介して入力されるアナログ音声信号を増幅する。
【００２４】
スピーカ１７は、パッド１６に収納され、音声増幅部１８によって増幅された音声信号を出力する。
【００２５】
パッド１６は、スピーカ１７を有し、パッド傾斜機構２７によって所定の方向に傾斜可能に筐体に取り付けられている。
【００２６】
パッド傾き検出部２２は、パッド傾斜機構２７によって傾斜されたパッド１６の傾きを検出する。
【００２７】
制御部２３は、ヘッドセット全体の制御を司るものであり、傾き判断部３１、音量判断部３２、経過時間検出部３３、ミュート部３４、ミュート解除部３５及び電源遮断部３６を具備している。
【００２８】
傾き判断部３１は、パッド傾き検出部２２によって検出されたパッドの傾きが所定の傾き以上であるか否かを判断する。
【００２９】
音量判断部３２は、マイク１１から入力され、音声増幅部１２によって増幅された音声信号が所定の音量以上であることを検出する。
【００３０】
経過時間検出部３３は、傾き判断部３１によってパッドの傾きが所定の傾き以上であることが検出された場合、タイマー２４の値を参照して、パッドの傾きが所定の傾き以上の状態になってからの経過時間が所定時間経過したことを検出する。
【００３１】
ミュート部３４は、傾き判断部３１によってパッドの傾きが所定の傾き以上であると判断された場合に、切替部１９に制御信号を出力することにより、スピーカ１７から出力される音声をミュートする。
【００３２】
ミュート解除部３５は、音声がミュートされている状態において、傾き判断部３１によってパッドの傾きが所定の傾き未満であると判断された場合に、切替部１９に制御信号を出力することにより、スピーカ１７から出力される音声のミュートを解除する。また、音声がミュートされている状態において、音量判断部３２は、マイク１１から入力され、音声増幅部１２によって増幅された音声信号が所定の音量以上であることが検出された場合に、切替部１９に制御信号を出力することにより、スピーカ１７から出力される音声のミュートを解除する。
【００３３】
電源遮断部３６は、経過時間検出部３３によって、傾き判断部３１によってパッドの傾きが所定の傾き以上であることが検出された後、所定時間経過したことが検出された場合に、制御信号をスイッチ２６に送ることにより、電源２５から無線ヘッドセットの各コンポーネントに供給される電源を遮断する。
【００３４】
次に、本発明の実施の形態に係る無線ヘッドセットの動作について、図５のフローチャートを参照して説明する。
【００３５】
まず、最初に、パッドが傾いているか否かの判断が行なわれる（Ｓ１）。Ｓ１において、傾いていると判断された場合には、次に、パッドの傾きが所定値以上であるか否かの判断が行なわれる（Ｓ２）。この判断は、傾き判断部３１により行なわれる。
【００３６】
Ｓ２において、所定値以上ではないと判断された場合には、Ｓ１の処理に戻る。一方、所定値以上であると判断された場合には、ミュート部３４によって音声のミュートが行なわれる（Ｓ３）。これにより、他者から話し掛けられたような場合、パッドを傾かせることにより音声がミュートされるので、他者の話が聞きやすくなる。なお、ここでは音声のミュートを行なう場合について説明したが、音声のパワーを減少させるようにしてもよい。
【００３７】
次に、音声がミュートされた状態において、マイクに一定音量以上の音声入力があったか否かの判断が行なわれる（Ｓ４）。この判断は、音量判断部３２によって行なわれる。
【００３８】
Ｓ４において、一定音量以上の音声入力があったと判断された場合には、音声のミュートの解除が行なわれる（Ｓ５）。この音声のミュートの解除は、ミュート解除部３５により行なわれる。なお、音声パワーを減少させる場合には、音声パワーが元に戻される。
【００３９】
一方、Ｓ４において、一定音量以上の音声入力がないと判断された場合には、次に、パッドの傾きが所定値未満か否かの判断が行なわれる（Ｓ６）。なお、この判断は、傾き判断部３１により行なわれる。
【００４０】
Ｓ６において、パッドの傾きが所定値未満であると判断された場合には、音声のミュートの解除が行なわれる（Ｓ５）。なお、音声パワーを減少させる場合には、音声パワーが元に戻される。また、Ｓ６において、パッドの傾きが所定値未満ではないと判断された場合には、次に、パッドの傾きが所定値以上であると判断された後、パッドの傾きが所定の傾き以上になってからの時間が所定時間経過しているか否かの判断が行なわれる（Ｓ７）。この判断は、経過時間検出部３３により行なわれる。
【００４１】
Ｓ７において、所定時間経過していないと判断された場合には、Ｓ３の処理に移る。一方、Ｓ７において、所定時間経過していると判断された場合には、ヘッドセットの電源を遮断する（Ｓ８）。このヘッドセットの電源の遮断は、電源遮断部３６により行なわれる。
【００４２】
したがって、本発明の実施の形態に係る無線ヘッドセットによれば、無線ヘッドセットのパッドを傾けることにより、音声をミュートすることができるので、無線ヘッドセットを取り外す手間を省け、かつ他者との会話がしやすくなる。
【００４３】
また、パッドを傾けて音声をミュートした後で、所定の時間を経過すると、ヘッドセットの電源を遮断することができるので、無線ヘッドセットの省電力化を図ることができる。
【００４４】
なお、本願発明は、上記各実施形態に限定されるものでなく、実施段階ではその要旨を逸脱しない範囲で種々に変形することが可能である。
【００４５】
【発明の効果】
以上詳記したように、本発明によれば、無線ヘッドセットを取り外すことなく音声を制御することができる。
【図面の簡単な説明】
【図１】本発明の実施の形態に係るヘッドセットの外観を示す図。
【図２】図１に示したヘッドセット１を装着した場合を示す図。
【図３】パッドを傾斜させた場合のヘッドセットの外観を示す図。
【図４】ヘッドセット１の機能を示すブロック図。
【図５】無線ヘッドセットの動作について説明するためのフローチャート。
【符号の説明】
１…無線ヘッドセット、
１１…マイク、
１２…音声増幅部、
１３…変調部、
１４…送信フィルタ、
１５…アンテナ、
１６…パッド、
１７…スピーカ、
１８…音声増幅部、
１９…切り替え部、
２０…復調部、
２１…受信フィルタ、
２２…パッド傾き検出部、
２３…制御部、
２４…タイマー、
２５…電源、
２６…スイッチ、
２７…パッド傾斜機構、
３１…傾き判断部、
３２…音量判断部、
３３…経過時間検出部、
３４…ミュート部、
３５…ミュート解除部、
３６…電源遮断部、
４１…本体プレイヤー。
【図１】
2004128745.tif 000003
【図２】
2004128745.tif 000004
【図３】
2004128745.tif 000005
【図４】
2004128745.tif 000006
【図５】
2004128745.tif 000007